(57)【要約】      （修正有）【課題】  中波用ループアンテナを携帯可能な大きさに収納できるようにする。【解決手段】  携帯出来る様に、ループ部の電線２と型枠５とを分離可能とし、本体が手のひらに収まる程小さく巻きくるめ収納出来る様にした。屋内では型枠（吸盤とフック付）にセットし、ワンタッチで窓ガラスや何処にでも簡単に取り付けでき、場所を問わず移動させて使用可能となった。従来品の５分の１位の低コストでシンプルな構造とし、２０ｍ程の１本のビニール電線からアンテナ部、リード線部７、ラジオ結合線部８が構成され、その電線の両端にはポリバリコンなど内蔵の同調用コントロール部９が連結された。ループアンテナの特徴である各パーツ部の調整などの難を避けるため、予め中波帯域に同調させた構成とし、一般受けが良く一人に１台所有可能なポータブル向けからのオールマイティー用となった。【選択図】  図１
2006186955.tif 000002
【特許請求の範囲】
【請求項１】
ループ部のアンテナ線をビニール被覆線を用い、型枠と分離可能とすることによって、アンテナ全体を巻き取り式にコンパクト収納可能な物として携帯可能にした中波ラジオ用ループアンテナ。
【請求項２】
本体全体の電線部分を一本の電線から切らずに加工して製作出来るようにシンプルな構成形態にし、低コスト化が可能になった中波ラジオ用ループアンテナ。（マニア向け従来品ではループ部から結合用電線を別途用意しなければならなかった。）
【請求項３】
請求項１によって分離されたコイル電線部は変形自在なので、どの様なバリエーションのインテリア資材にも応用できるものとし、絵や写真台などと組み合わせてインテリア商品としての販売も可能とした中波ラジオ用ループアンテナ。
【請求項４】
請求項２によって構成したシンプルな構造からサイズを縮小化した物を、ビジネスマン向けに通勤電車内の窓貼り付けタイプとした中波ラジオ用ループアンテナ。
【請求項５】
ループ部の結束バンドの間隔を全体で５箇所にして余裕を持たせ、電線密度を膨らませるたり、しぼませたりさせることによって、感度と同調可能帯域の調整を出来るようにした中波ラジオ用ループアンテナのループ構造。
【請求項６】
アンテナ全体をトグル状に巻きくるめ、超小型収納を可能とさせた収納技術法。
【発明の詳細な説明】
【技術分野】
【０００１】    本発明は中波ラジオの感度向上と便利性を図った中波専用ループアンテナに関する。
【背景技術】
【０００２】  従来の中波用ループアンテナでは自作キットタイプの物がある。（例えば、非特許文献２参照）また、スタイル的に機能的に優れているが、少し高価でポータブル用にはあまり向かない物もある。（非特許文献１参照）
【特許文献１】特願平０６−０６８３４４
【特許文献２】
【非特許文献１】アツデンＡＭラジオループアンテナ  ＡΛＡ−１０ＩＩ
【非特許文献２】ミズホ通信株式会社  ＹＺ−Ｋ１  ループアンテナ主要パーツキット
【発明の開示】
【発明が解決しようとする課題】
【０００３】  従来品では、家屋内での使用に限られ、旅行や出張時に携帯出来ず、外出時用やポータブルには向いていない。【０００４】  一人が１台所有するには高価であり携帯性に欠ける。屋内でもその場所場所での使用の際には移動が限られ使用範囲が狭い。【０００５】  自作キット式はマニア向けで一般には難しくとっつきにくさがあり普及度が低い。【０００６】  マンション居住人口が増える昨今、鉄筋家屋内でのラジオ愛用者は感度悪化で減少傾向。年齢を問わず一人に１台、ラジオの付属品の如く安易に所有でき、持ち運べ、難無く使用できる安価な物が必要である。【０００７】  また、高齢者にとっても鉄筋市営住宅住まいの老人の人口が増える中、受信環境が悪く雑音で聞き取りにくい中、解決策の知らないまま困っている老人が多い。年々ラジオが下火になりつつある気がする。
【課題を解決するための手段】
【０００８】  本発明は上で挙げた問題点を解決すべく、誰にでも使いやすく安価でシンプル且つ軽量で使いやすく、持ち運び出来るように巻き取り式に収納可能とした。その為にループ部の型枠とコイル電線とを分離可能として、収納時はコイル電線部分を小さく丸め込み、全体をトグル状にコンパクトにたためるようにした。【０００９】  また、低コストとする為に従来品で必要であった結合用線をリード線と兼用にさせる構造にした。低コストを可能とすべく素材を使用して作成した結果、シンプルで独特な構造とスタイルである。予め各パーツ部の構成と調整は一般向け用に完了済み仕様とする。
【発明の効果】
【００１０】  これにより、いつでも場所を問わず、ポケットやカバンから取り出して使用出来る様になり、いつでもクリアーな音でラジオが楽しめる様になる。【００１１】  このループアンテナは低コストである故、非常に低価格で販売が可能となり一人に１台を難なく所有可能とさせる。一家庭に複数台の設置も負担にならず、語学勉強に子供部屋用、キッチン用、ベットルーム用などとする事も出来、職場、旅行者、入院患者、ビジネスマンの通勤時用、出張用、ラジオ使用度の高い高齢者とオールラウンドで全年齢層を対象と出来る。【００１２】  マンション増加傾向の時勢、鉄筋住宅内での感度不良を大きく改善させ、ラジオの付属品とまでいかなくとも、アクセサリーとして販売すればラジオ業界を活性化させる可能性もある。
【発明を実施するための最良の形態】
【００１３】  以下、本発明を実施するための形態を４０センチループ作成例を図を用いて説明する。
【実施例】
【００１４】  図１においては全体図となり、ループ部、リード線部、ラジオ結合用電線部、同調用コントロール部の４部分で構成される。【００１５】  図２において、符号１の型枠は直径３ｍｍ程の被覆されたワイヤーを用い、型崩れしにくく且つ曲げやすい物を使用し、ループ部のコイル電線の直径と同じにした。束ねる前に吸盤とフックを取り付けておく。【００１６】  図２において、符号２のコイル電線は予め２０ｍ程の１本の０．３から０．５ｍｍ２程度のビニール被覆電線を用意し、３．８ｍ程余りを出してからループ状に９回巻き、コイル状にする。（乱暴にぐるぐる巻きでも良いが１周の長さは均等にする）すると余り部分の長さが４．９ｍ程になり片方の余り部分との差が１ｍ程になる。この１ｍの差の部分が、図１における符号８の結合線部となる。【００１７】  図２において、符号２の結束バンドでコイル電線を５等分６箇所固定してしまう。次に型枠、符号１に電線  符号２を着脱可能バンドで取り付ける。ループ部の完成である。
結束バンド間隔を大きめにした事により、電線にふくらみを持たすことが出来、微調整が出来るものにした。【００１８】  図１において、符号７のリード線部はビニルテープで５０ｃｍ間隔程度間隔でとめる。（この時この間隔が詰まり過ぎると同調帯域が狭くなり性能が低下する）【００１９】  図１において、符号８の余り部分をわっか状にした結合線部を、図３における符号９のコントロール部の電線引き込み穴に電線の両先端と一まとめに内部に引き込む。（電線を切らずに２０ｍ１本で加工できるようにした）【００２０】  図３における符号９のコントロール部のプラスチックケースには、図４における符号１２の高容量ポリバリコンと、図３における符号１０のツマミ、符号１１のトグルスイッチ、図４における符号１３のセラミックコンデンサーが並列に接続され、図２における符号１１のスイッチでは周波数帯域を切り替え用とし、図２における符号１０のツマミでは周波数同調時に使う物とした。【００２１】  この簡易型ループアンテナで同調出来る周波数帯域を中波帯に納めるために、コイルの巻き数や大きさ、リード線の長さ、コントロール部の構成が一般素人には簡単でないものとなった。【００２２】  図５においては巻取り収納時で、なんと手のひらに収まるほどのコンパクトになるのでポケットに入れて携帯が可能である。これほどまでにコンパクトに収納を可能とさせるには、独特なシンプルな構成と構造と素材による。ポイントとなるのは収納方法である。まず、すでに円状に束ねられたループ部分を手のひらに乗るくらいの大きさに何重かに束ね、それからリード線部をその延長に巻いてゆき、最後にコントロール部をその中心に納める。ちょうど蛇がトグルを巻いたような格好である。最後に結合部の電線で全体がばらけない様にコイル巻きする。【００２３】  図６においてはループ部の感度と同調範囲調節時での最大に性能を高めた時の図である。この機能を使う為に符号３における結束バンドを全体で５箇所としたものである。
【産業上の利用可能性】
【００２４】  上で挙げたように、ラジオ離れになりつつある傾向を、もう一度ラジオを見直させる機会となり。ポータブルラジオの需要度が高まる可能性がある。
【図面の簡単な説明】
【００２５】
【図１】全体図
【図２】ループ部図
【図３】コントロール部図
【図４】コントロール部内部図
【図５】巻きとり式収納時図
【図６】ループ部感度調節時図
【符号の説明】
【００２６】  １  着脱式被覆ワイヤー
２  ループ部ビニール被覆電線
３  ループ部ビニール被覆電線結束バンド（固定式）
４  型枠と電線を束ねるバンド（着脱式）
５  型枠付属吸盤
６  型枠付属フック
７  リード線部
８  ラジオ結束用電線部
９  同調コントロール部
１０  同調用ツマミ
１１  周波数帯切り替えスイッチ
１２  高容量ポリバリコン（３３０ｐｆ）
１３  セラミックコンデンサー
【図１】
2006186955.tif 000003
【図２】
2006186955.tif 000004
【図３】
2006186955.tif 000005
【図４】
2006186955.tif 000006
【図５】
2006186955.tif 000007
【図６】
2006186955.tif 000008